【手続補正書】
【提出日】平成25年3月12日(2013.3.12)
【手続補正１】
【補正対象書類名】明細書
【補正対象項目名】００９７
【補正方法】変更
【補正の内容】
【００９７】
本願で引用した全ての参照文献及び刊行物は、本開示と完全には矛盾することのない程度まで、その全てが引用によって本開示に明白に組み込まれる。本明細書において特定の実施形態が例示及び説明されてきたが、多様な代替及び／又は同等の実施が、本開示の範囲から逸脱することなく、図示され説明された特定の実施形態と置き換えられ得ることは、当業者には理解されるであろう。本出願は、本明細書で説明された特定の実施形態のいかなる翻案又は変形をも包含すべく意図されている。したがって、本開示が「特許請求の範囲」及びその同等物によってのみ限定されることを、意図するものである。
本発明はまた、以下の内容を包含する。
（１）
ポリマーコーティング用のプロセスであって、
重合性材料を溶剤中に含む第１の溶液を基材上にコーティングする工程と、
前記重合性材料の第１の部分を重合して、部分重合された材料を第２の溶液中に含む均質な組成物を形成する工程であって、前記第２の溶液中にて前記重合性材料が部分的に欠如している、工程と、
前記均質な組成物から前記溶剤の主部分を除去する工程と、を含む、プロセス。
（２）
前記溶剤の前記主部分を除去した後に、前記重合性材料の第２の部分を重合することを更に含む、項目１に記載のプロセス。
（３）
前記基材上に前記溶液をコーティングした後に、前記溶液から前記溶剤の副部分を除去することを更に含む、項目１に記載のプロセス。
（４）
前記均質な組成物がポリマーゲルを含む、項目１に記載のプロセス。
（５）
前記溶剤が有機溶剤又は有機溶剤混合物を含む、項目１に記載のプロセス。
（６）
前記重合性材料の前記第１の部分の重合中、前記第１の溶液の固形分重量百分率が約３０％未満であるか又は約４０％より高い、項目１に記載のプロセス。
（７）
前記重合性材料の前記第１の部分の重合中、前記第１の溶液の固形分重量百分率が約１０％未満であるか又は約６０％より高い、項目１に記載のプロセス。
（８）
前記重合性材料の前記第１の部分の重合中、前記第１の溶液の固形分重量百分率が約５％未満であるか又は約９０％より高い、項目１に記載のプロセス。
（９）
前記溶剤の前記主部分を除去する工程が、加熱炉での乾燥工程、赤外線又は他の輻射光源を用いた乾燥工程、真空乾燥工程、ギャップ乾燥工程、又はそれらの組み合わせを含む、項目１に記載のプロセス。
（１０）
前記溶剤の前記副部分を除去する工程が、加熱炉での乾燥工程、赤外線又は他の輻射光源での乾燥工程、真空乾燥工程、ギャップ乾燥工程、又はそれらの組み合わせを含む、項目３に記載のプロセス。
（１１）
前記第１の溶液が粒子を更に含み、前記粒子の少なくともいくつかは前記重合性材料の前記第１の部分の重合中に、前記部分重合された材料と結合される、項目１に記載のプロセス。
（１２）
前記粒子が表面修飾されたナノ粒子を含む、項目１１に記載のプロセス。
（１３）
前記表面修飾されたナノ粒子が反応性ナノ粒子、非反応性ナノ粒子、又はそれらの組み合わせを含む、項目１２に記載のプロセス。
（１４）
前記反応性ナノ粒子の実質的な部分が、前記部分重合された材料と化学結合を形成する、項目１３に記載のプロセス。
（１５）
前記非反応性ナノ粒子の実質的な部分が、前記部分重合された材料と物理的結合を形成する、項目１３に記載のプロセス。
（１６）
重合する工程が、カチオン重合、フリーラジカル重合、又はそれらの組み合わせを含む、項目１に記載のプロセス。
（１７）
重合する工程が、化学線を用いて重合する工程を含む、項目１に記載のプロセス。
（１８）
前記化学線が、紫外線（ＵＶ）、可視放射線、赤外線、電子ビーム線、又はそれらの組み合わせを含む、項目１７に記載のプロセス。
（１９）
前記第１の溶液が、光開始剤を更に含む、項目１７に記載のプロセス。
（２０）
前記化学線が紫外線（ＵＶ）を含む、項目１７に記載のプロセス。
（２１）
前記ＵＶ線が、少なくとも１つの発光ダイオード（ＬＥＤ）によって生成される、項目２０に記載のプロセス。
（２２）
前記少なくとも１つのＬＥＤが３６５、３８５、３９５、又は４０５ナノメートルのピーク波長を含む、項目２１に記載のプロセス。
（２３）
前記均質な組成物が、実質的な乱れのない均質な厚さを有する、項目１に記載のプロセス。
（２４）
実質的な乱れが、むら、相分離、筋、波、脱濡れ、若しくは凝集、又はそれらの組み合わせを含む、項目２３に記載のプロセス。
（２５）
前記基材が移動し、前記コーティングする工程、重合する工程、及び除去する工程が連続して順に行われる、項目１に記載のプロセス。
（２６）
装置であって、
巻き解きロールから巻き取りロールへと基材をウェブ下流に搬送するためのウェブラインと、
前記巻き解きロールに近接して配置され、重合性材料を溶剤中に含む第１の溶液を前記基材上にコーティングできる、コーティングセクションと、
前記コーティングセクションからウェブ下流に配置された重合セクションであり、前記重合性材料の第１の部分を重合し、部分重合された材料を第２の溶液中に含む均質な組成物を形成することができ、前記第２の溶液中にて前記重合性材料が部分的に欠如している、重合セクションと、
前記重合セクションからウェブ下流に配置された溶剤除去セクションであって、前記均質な組成物から前記溶剤の主部分を除去できる、溶剤除去セクションと、を備える、装置。
（２７）
前記コーティングセクションと前記重合セクションとの間に配置されたコーティング調整セクションを更に備え、前記コーティング調整セクションが前記基材を取り囲む第１の制御環境を提供できる、項目２６に記載の装置。
（２８）
前記重合セクションが、前記基材を取り囲む第２の制御環境を提供できる、項目２６に記載の装置。
（２９）
前記溶剤除去セクションからウェブ下流に配置された第２の重合セクションであって、前記溶剤の前記主部分を除去した後に前記重合性材料の第２の部分を重合できる、第２の重合セクションを更に備える、項目２６に記載の装置。
（３０）
重合する工程が、化学線を用いて重合する工程を含む、項目２６に記載のプロセス。
（３１）
前記化学線が、紫外線（ＵＶ）、可視放射線、赤外線、電子ビーム線、又はそれらの組み合わせを含む、項目３０に記載のプロセス。
（３２）
前記第１の溶液が、光開始剤を更に含む、項目２６に記載のプロセス。
（３３）
前記化学線が紫外線（ＵＶ）を含む、項目３０に記載のプロセス。
（３４）
前記ＵＶ線が、少なくとも１つの発光ダイオード（ＬＥＤ）によって生成される、項目３３に記載のプロセス。
（３５）
前記少なくとも１つのＬＥＤが３６５、３８５、３９５、又は４０５ナノメートルのピーク波長を含む、項目３４に記載のプロセス。
【手続補正２】
【補正対象書類名】特許請求の範囲
【補正対象項目名】全文
【補正方法】変更
【補正の内容】
【特許請求の範囲】
【請求項１】
ポリマーコーティング用のプロセスであって、
重合性材料を溶剤中に含む第１の溶液を基材上にコーティングする工程と、
前記重合性材料の第１の部分を重合して、部分重合された材料を第２の溶液中に含む均質な組成物を形成する工程であって、前記第２の溶液中にて前記重合性材料が部分的に欠如している、工程と、
前記均質な組成物から前記溶剤の主部分を除去する工程と、を含む、プロセス。
【請求項２】
前記溶剤の前記主部分を除去した後に、前記重合性材料の第２の部分を重合することを更に含む、請求項１に記載のプロセス。
【請求項３】
装置であって、
巻き解きロールから巻き取りロールへと基材をウェブ下流に搬送するためのウェブラインと、
前記巻き解きロールに近接して配置され、重合性材料を溶剤中に含む第１の溶液を前記基材上にコーティングできる、コーティングセクションと、
前記コーティングセクションからウェブ下流に配置された重合セクションであり、前記重合性材料の第１の部分を重合し、部分重合された材料を第２の溶液中に含む均質な組成物を形成することができ、前記第２の溶液中にて前記重合性材料が部分的に欠如している、重合セクションと、
前記重合セクションからウェブ下流に配置された溶剤除去セクションであって、前記均質な組成物から前記溶剤の主部分を除去できる、溶剤除去セクションと、を備える、装置。